(57)【要約】【課題】外箱から緩衝体で保護された加熱調理器を容易に取り出すことができる梱包体を提供する。【解決手段】梱包体は、外箱２と、右端パッド６１及び左端パッド６２で構成する。右端パッド６１及び左端パッド６２は、ガスコンロ１００の左右両側部に外嵌された状態で外箱２に収納される。外箱２の開封時において、使用者はジッパーにより、外箱２を上下に分離する。上ケース２１を除けることによって、外箱２の内部に収納されていたガスコンロ１００の上半分が露出する。このときガスコンロ１００の両側部には、右端パッド６１及び左端パッド６２が外嵌している。使用者は右端パッド６１及び左端パッド６２を分離部６８，７８により上下に分離して上側部６１Ａ，６２Ａを除けることができる。これにより使用者は外箱２と右端パッド６１及び左端パッド６２からガスコンロ１００を容易に取り出すことができる。【選択図】図８
2014181052.tif 000002
【特許請求の範囲】
【請求項１】
切断部により上下に分離可能な外箱と、加熱調理器の両側部に外嵌された状態で前記外箱の内部に収納される緩衝体とを備えた加熱調理器の梱包体において、
前記緩衝体は、前記切断部よりも上方において上下に分離可能な分離部を備えたことを特徴とする加熱調理器の梱包体。
【請求項２】
前記緩衝体は発泡スチロール製であって、前記分離部は溝で形成したことを特徴とする請求項１に記載の加熱調理器の梱包体。
【請求項３】
前記外箱は紙系材料であって、
前記切断部はジッパーであることを特徴とする請求項１又は２に記載の加熱調理器の梱包体。
【請求項４】
前記緩衝体は、前記両側部を構成し且つ互いに対向する一対の側部を各々差し込むことによって、前記緩衝体を前記両側部に外嵌させる為の一対の穴部を備えたことを特徴とする請求項１から３の何れかに記載の加熱調理器の梱包体。
【請求項５】
前記外箱は、前記両側部に外嵌された前記緩衝体の周囲を取り巻くようにして折り畳まれていることを特徴とする請求項１から４の何れかに記載の加熱調理器の梱包体。
【発明の詳細な説明】
【技術分野】
【０００１】
本発明は、梱包体に関する。
【背景技術】
【０００２】
従来、ガスコンロ等の被包装物を搬送や保管のために包装する場合、梱包体として、段ボール箱と、被包装物の所定の部分と段ボール箱の内壁との隙間を埋めるための緩衝体（発泡スチロール）とを用いるのが一般的である。例えば、緩衝体である一対の端面側パッドを、ガスコンロ本体の両端側に嵌め込んで配設した状態で、段ボール箱に収納した包装構造が知られている（例えば、特許文献１参照）。
【０００３】
このような梱包体を用いたガスコンロの包装工程では、両端側に一対の端面側パッドを嵌め込んだガスコンロを、組み立てる前の段ボール箱の底面に載置し、その後、段ボールをガスコンロの周囲に巻き付けるようにして箱状に組み立て、最後に糊付け等を行う所謂「ラップアラウンド方式」を採用する。これにより、段ボール箱の内壁と緩衝体との隙間が埋まるので、段ボール箱内のガスコンロが安定化する。従って、例えば、段ボール箱内に梱包されたガスコンロを搬送する際に、ガスコンロが段ボール箱内で不安定に動いてしまうのを防止できる。
【先行技術文献】
【特許文献】
【０００４】
【特許文献１】特開２００２−３０２１５５号公報
【発明の概要】
【発明が解決しようとする課題】
【０００５】
ところで、特許文献１に記載の包装構造では、段ボール箱に梱包されたガスコンロを取り出す場合、段ボール箱上面の蓋を開いてから、一対の端面側パッドを両端側に嵌め込んだガスコンロごと上方に取り出すことになる。この場合、段ボール箱の内壁が一対の端面側パッドに密着しているので、一対の端面側パッドを両端側に嵌め込んだガスコンロを持ち上げても、段ボール箱が端面側パッドに貼り付いてしまい、ガスコンロを段ボール箱から容易に取り出すことができなかった。また、段ボール箱の内部は狭いので、段ボール箱の内壁とガスコンロとの間に生じた隙間に手を差し込んでガスコンロを持ち上げることが困難な場合もあった。また、段ボール箱を開封した際に、ガスコンロに密着した一対の端面側パッドを手で割ることによって、ガスコンロを取り出すこともあるが、再度、ガスコンロを段ボール箱に収納して保管するような場合、不規則に割られた端面側パッドを元通りに組み立ててガスコンロに装着して段ボール箱に収納するのは困難であった。
【０００６】
本発明の目的は、外箱から緩衝体で保護された加熱調理器を容易に取り出すことができる梱包体を提供することである。
【課題を解決するための手段】
【０００７】
本発明の請求項１に係る梱包体は、切断部により上下に分離可能な外箱と、加熱調理器の両側部に外嵌された状態で前記外箱の内部に収納される緩衝体とを備えた加熱調理器の梱包体において、前記緩衝体は、前記切断部よりも上方において上下に分離可能な分離部を備えたことを特徴とする。
【０００８】
また、請求項２に係る発明の梱包体は、請求項１に記載の発明の構成に加え、前記緩衝体は発泡スチロール製であって、前記分離部は溝で形成したことを特徴とする。
【０００９】
また、請求項３に係る発明の梱包体は、請求項１又は２に記載の発明の構成に加え、前記外箱は紙系材料であって、前記切断部はジッパーであることを特徴とする。
【００１０】
また、請求項４に係る発明の梱包体は、請求項１から３の何れかに記載の発明の構成に加え、前記緩衝体は、前記両側部を構成し且つ互いに対向する一対の側部を各々差し込むことによって、前記緩衝体を前記両側部に外嵌させる為の一対の穴部を備えたことを特徴とする。
【００１１】
また、請求項５に係る発明の梱包体は、請求項１から４の何れかに記載の発明の構成に加え、前記外箱は、前記両側部に外嵌された前記緩衝体の周囲を取り巻くようにして折り畳まれていることを特徴とする。
【発明の効果】
【００１２】
請求項１に係る発明の梱包体では、外箱の開封時において、使用者は切断部により外箱を上下に分離し、上側を除けることにより、外箱の内部に収納されていた加熱調理器の上半分が露出する。このとき加熱調理器の両側部には緩衝体が外嵌している。使用者は緩衝体を分離部により上下に分離して上側を除けることができる。これにより、加熱調理器の両側部から緩衝体が外れるので、使用者は外箱と緩衝体から加熱調理器を容易に取り出すことができる。また、緩衝体は分離部で上下に分離するので、分離した緩衝体は夫々決まった形状である。従って、緩衝体を分離部で上下に分離して外箱から加熱調理器を取り出した後で、再度、上下に分離した緩衝体を簡単に元通りに組み立てることができる。従って、使用者は、上下に分離した緩衝体を元通りに組み立てて加熱調理器に装着して外箱に収納することができる。
【００１３】
また、請求項２に係る発明の梱包体では、請求項１に記載の発明の効果に加え、使用者は、緩衝体を溝である分離部において折損できるので、緩衝体を上下に容易に分離できる。
【００１４】
また、請求項３に係る発明の梱包体では、請求項１又は２に記載の発明の効果に加え、使用者は、外箱をジッパーに沿って切断することによって、外箱を上下に容易に分離することができる。
【００１５】
また、請求項４に係る発明の梱包体では、請求項１から３の何れかに記載の発明の効果に加え、緩衝体に設けた穴部に側部を差し込むことによって、緩衝体を側部に対して容易に外嵌させることができる。
【００１６】
また、請求項５に係る発明の梱包体では、請求項１から４の何れかに記載の発明の効果に加え、外箱は加熱調理器の両側部に外嵌された緩衝体の周囲を取り巻くようにして折り畳まれる所謂「ラップアラウンド方式」であるので、外箱の内部で加熱調理器と緩衝体が容易に分離しないようにできる。
【図面の簡単な説明】
【００１７】
【図１】梱包体１の斜視図（内部構造は図示略）である。
【図２】ボード材１２０の平面図である。
【図３】ガスコンロ１００の左右両側に、右端パッド６１と左端パッド６２を夫々配置した状態の斜視図である。
【図４】ガスコンロ１００の左右両側に、右端パッド６１と左端パッド６２を夫々嵌め込んだ状態の斜視図である。
【図５】ボード材１２０の組み立て途中を示す斜視図である。
【図６】図５に示すボード材１２０の底面１７に、図４に示すガスコンロ１００を載置した状態の斜視図である。
【図７】ジッパー１１，１２を途中まで引き剥がした状態の梱包体１の斜視図である。
【図８】外箱２を上ケース２１と下ケース２２に分断した梱包体１の斜視図である。
【図９】図８に示す下ケース２２において、右端パッド６１と左端パッド６２の各上部を折損した状態の斜視図である。
【発明を実施するための形態】
【００１８】
以下、本発明の一実施形態である梱包体１について、図面を参照して説明する。以下説明では、図１の左斜め下方、右斜め上方、右斜め下方、左斜め上方、上方、下方は、夫々、梱包体１の前方、後方、右方、左方、上方、下方とする。図３〜図９についても、図１の方向に倣うものとする。
【００１９】
図１に示す梱包体１は、ガスコンロ１００（図３参照）を搬送及び保管の為に梱包したものである。梱包体１は外箱２を備える。外箱２は段ボール製の箱である。外箱２の内側には、図８に示すように、ガスコンロ１００が左右両側部に右端パッド６１と左端パッド６２とが夫々外嵌した状態で収納されている。右端パッド６１と左端パッド６２は、ガスコンロ１００に対する外部衝撃を吸収する緩衝体である。
【００２０】
図１を参照し、外箱２の構造について説明する。外箱２は、左右方向に長手を有する直方体の箱状に形成され、前壁部３、右壁部４、左壁部５、上壁部６、底壁部７、背壁部８を備える。
【００２１】
上壁部６の前後方向中間位置には、左方から右方に直線状に延出するジッパー１９が設けられている。ジッパー１９は自身の長手方向に直交する幅方向の両端にミシン目を有する。ジッパー１９の左端部近傍には、切欠部１８が設けられている。切欠部１８は矩形状に形成されている。作業者は切欠部１８を上方に開いて指を挿入することにより、ジッパー１９の左端部を摘んで右方に引っ張ることができる。
【００２２】
前壁部３の高さ方向の中段位置には、中央部から左右両側に向けて夫々延出するジッパー１１，１２が設けられている。ジッパー１１とジッパー１２の境界には指挿入用の切れ目１３が設けられている。ジッパー１１は切れ目１３から右方に直線状に延出され、右壁部４の中央部手前まで回り込んで設けられている。ジッパー１２は切れ目１３から左方に直線状に延出され、左壁部５の中央部手前まで回り込んで設けられている。
【００２３】
背壁部８の高さ方向の中段位置にも、中央部から左右両側に向けて夫々延出するジッパー１４，１５が設けられている。ジッパー１４とジッパー１５の境界には指挿入用の切れ目１６が設けられている。ジッパー１４は切れ目１６から右方に直線状に延出され、右壁部４の中央手前まで回り込んで設けられている。ジッパー１５は切れ目１６から左方に直線状に延出され、左壁部５の中央手前まで回り込んで設けられている。
【００２４】
右壁部４は、右壁構成片２６，２９，４１，４２が重なり合って構成されている。右壁構成片２６は、前壁部３の右端部から後方に直角に折り返して延出した矩形状の小片である。右壁構成片２９は、背壁部８の右端部から前方に直角に折り返して延出した矩形状の小片である。右壁構成片４１は、底壁部７の右端部から上方に直角に折り返して延出した横長長方形状の小片である。右壁構成片４２は、上壁部６の右端部から下方に直角に折り返して延出した横長長方形状の小片である。右壁構成片２６，２９の外面に対して、右壁構成片４１，４２の裏面が接着剤で固定されている。
【００２５】
右壁構成片４２の下端部中央には、波状部４２Ａが形成され、その両側には上方に一段低くなった直線状の段部４２Ｂ，４２Ｃが夫々形成されている。右壁構成片４１の上端部中央には、波状部４１Ａが形成され、その両側には下方に一段低くなった直線状の段部４１Ｂ，４１Ｃが夫々形成されている。波状部４２Ａ、段部４２Ｂ，４２Ｃと、波状部４１Ａ、段部４１Ｂ，４１Ｃとは、夫々互いに対向する位置関係である。段部４２Ｂと段部４１Ｂとの間には、横長長方形状の溝部３５が形成されている。溝部３５の幅（高さ方向の長さ）はジッパー１１の幅と同じである。段部４２Ｃと段部４１Ｃとの間には、横長長方形状の溝部３６が形成されている。溝部３６の幅はジッパー１４の幅と同じ幅である。
【００２６】
左壁部５は、左壁構成片２７，３０，５１，５２が重なり合って構成されている。左壁構成片２７は、前壁部３の左端部から後方に直角に折り返して延出した矩形状の小片である。左壁構成片３０は、背壁部８の左端部から前方に直角に折り返して延出した矩形状の小片である。左壁構成片５１は、底壁部７の左端部から上方に直角に折り返して延出した横長長方形状の小片である。左壁構成片５２は、上壁部６の左端部から下方に直角に折り返して延出した横長長方形状の小片である。左壁構成片２７，３０の外面に対して、左壁構成片５１，５２の裏面が接着剤で固定されている。
【００２７】
左壁構成片５２の下端部中央には、波状部５２Ａが形成され、その両側には上方に一段低くなった直線状の段部５２Ｂ，５２Ｃが夫々形成されている。左壁構成片５１の上端部中央には、波状部５１Ａが形成され、その両側には下方に一段低くなった直線状の段部５１Ｂ，５１Ｃが夫々形成されている。波状部５２Ａ、段部５２Ｂ，５２Ｃと、波状部５１Ａ、段部５１Ｂ，５１Ｃとは、夫々互いに対向する位置関係である。段部５２Ｂと段部５１Ｂとの間には、横長長方形状の溝部３７が形成されている。溝部３７の幅はジッパー１２の幅と同じである。段部５２Ｃと段部５１Ｃとの間には、横長長方形状の溝部３８が形成されている。溝部３８の幅はジッパー１５の幅と同じ幅である。
【００２８】
図２を参照し、ボード材１２０について説明する。図２に示すボード材１２０は、外箱２を展開したものである。説明の便宜上、図２の右方、左方、上方、下方を、夫々、ボード材１２０の右方、左方、上方、下方とする。ボード材１２０は、前壁部３、底壁部７、背壁部８、上壁部６、右壁構成片２６，２９，４１，４２、左壁構成片２７，３０，５１，５２、接着片２８を備える。
【００２９】
前壁部３、底壁部７、背壁部８、上壁部６は左から順に横一列で夫々連結する小片である。前壁部３の上端部、下端部、左端部には、左壁構成片２７、右壁構成片２６、接着片２８が夫々連結している。底壁部７の上端部、下端部には、夫々、左壁構成片５１、右壁構成片４１が連結している。背壁部８の上端部、下端部には、夫々、左壁構成片３０、右壁構成片２９が連結している。上壁部６の上端部、下端部には、夫々、左壁構成片５２、右壁構成片４２が連結している。接着片２８は、上壁部６の内面の右端部に沿って接着される部分である（図１参照）。
【００３０】
前壁部３の中央部には横方向の切れ目１３が形成されている。その切れ目１３から右壁構成片２６の下端まで、直線状のジッパー１１が形成されている。切れ目１３から左壁構成片２７の上端まで、直線状のジッパー１２が形成されている。背壁部８の中央部には横方向の切れ目１６が形成されている。その切れ目１６から右壁構成片２９の下端まで、直線状のジッパー１４が形成されている。切れ目１６から左壁構成片３０の上端まで、直線状のジッパー１５が形成されている。上壁部６の上端部中央位置には、矩形状の切欠部１８が形成されている。その切欠部１８から下端部中央位置まで、直線状のジッパー１９が形成されている。
【００３１】
図３を参照し、右端パッド６１及び左端パッド６２の構造について説明する。右端パッド６１及び左端パッド６２は発泡スチロール製であり、互いに略左右対称形状である。右端パッド６１は、ガスコンロ１００の右側部１０２に装着する保護パッドである。左端パッド６２は、ガスコンロ１００の左側部１０３に装着する保護パッドである。
【００３２】
左端パッド６２は略直方体状の発泡スチロール体である。左端パッド６２のガスコンロ１００の左側部１０３に対向する右側面には、略矩形状の穴部６４が設けられている。穴部６４はガスコンロ１００の左側部１０３を嵌合させる為の凹部である。穴部６４の内側の底面６５の前端側と後端側には、底面６５よりも一段高くなった台座部６６，６７が各々設けられている。台座部６６，６７の各内側面には、円弧状の凹部６６Ａ，６７Ａが各々形成されている。さらに、左端パッド６２には分離部６８が形成されている。分離部６８は、穴部６４の内側を除く左端パッド６２の周囲を取り巻くように水平方向に延出され、左端パッド６２を上下に折損可能な程度の溝である。なお、後述するが、分離部６８の高さ位置は、外箱２を上下に分断して得られる下ケース２２の高さ位置よりも高い位置に設けられる（図８参照）。
【００３３】
なお、詳述しないが、右端パッド６１も、左端パッド６２と対称形状を備えた発泡スチロール体である。右端パッド６１のガスコンロ１００の右側部１０２に対向する左側面には、穴部６４と同形状の略矩形状の穴部７４が設けられている。穴部７４の底面形状は、穴部６４の底面形状と同じである。右端パッド６１には分離部７８が形成されている。分離部７８は、穴部７４の内側を除く右端パッド６１の周囲を取り巻くように水平方向に延出され、右端パッド６１を上下に折損可能な程度の溝である。なお、後述するが、分離部７８の高さ位置は、分離部６８の高さ位置と同じであって、外箱２を上下に分断して得られる下ケース２２の高さ位置よりも高い位置に設けられる（図８参照）。
【００３４】
図３，図４を参照し、右端パッド６１及び左端パッド６２のガスコンロ１００への取付方法について説明する。作業者は、先ず、左端パッド６２の穴部６４に対して、ガスコンロ１００の左側部１０３を挿入する。凹部６６Ａ，６７Ａの内側に、ガスコンロ１００の左側の脚部１１０，１１０が夫々配置される。台座部６６，６７の各上面に、ガスコンロ１００の器具本体の底面１０５が載置される。次いで、右端パッド６１の穴部７４に対しても、左端パッド６２と同様に、ガスコンロ１００の右側部１０２を挿入する。このようにして、図４に示すように、ガスコンロ１００の左側部１０３に左端パッド６２が外嵌して取り付けられ、右側部１０２に右端パッド６１が外嵌して取り付けられる。なお、分離部６８と分離部７８は同じ高さ位置である。また、右端パッド６１及び左端パッド６２の穴部６４，７４に対して、ガスコンロ１００の右側部１０２及び左側部１０３が夫々挿入された状態であるので、床面に載置した状態では、右端パッド６１及び左端パッド６２はガスコンロ１００の重量によって外れることがない。
【００３５】
図１、図３〜図６を参照し、ガスコンロ１００の梱包方法について説明する。先ず、図３，図４に示すように、作業者は、ガスコンロ１００の右側部１０２に右端パッド６１を取り付け、左側部１０３に左端パッド６２を取り付ける。次いで、右端パッド６１及び左端パッド６２を取り付けたガスコンロ１００を、図５に示すボード材１２０の底壁部７の底面１７上に載置する。このとき、図６に示すように、ガスコンロ１００の前面１０１を前壁部３側に、背面を背壁部８側に向けた状態で配置する。ボード材１２０の底面１７には、ガスコンロ１００の左右両側に取り付けられた右端パッド６１及び左端パッド６２の各底面が接触する。
【００３６】
次いで、図６に示すように、作業者は、底面１７上に載置したガスコンロ１００に対して、前方から前壁部３を、後方から背壁部８及び上壁部６を巻き付けるようにして内側に折り畳み、接着片２８を上壁部６の裏面の前端側に接着剤で固定する。さらに、右壁構成片２６，２９，４１，４２と、左壁構成片２７，３０，５１，５２とを内側に向けて直角に折り返し、各構成片が重なり合う箇所は接着剤で固定する。こうして、図１に示すように、外箱２の組み立てが完了すると共に、ガスコンロ１００の梱包体１が完成する。
【００３７】
上記の外箱２を用いたガスコンロ１００の梱包方法は、ガスコンロ１００に対して外箱２を巻き付ける所謂「ラップアラウンド方式」である。この方式によって、外箱２の内側では、外箱２の内面と、右端パッド６１及び左端パッド６２の各外面とが密着する。それ故、ガスコンロ１００は外箱２の内側で安定して保持されるので、例えば、梱包体１の運搬時において、ガスコンロ１００が外箱２内で動いてしまうのを防止できる。
【００３８】
次に、梱包体１を開封してガスコンロ１００を取り出す方法について説明する。本実施形態では、梱包体１の開封について、上壁部６を破断して開封する方法と、外箱２を上下に分断して開封する方法との二種類がある。作業者は状況に応じて何れかを選択する。
【００３９】
図１を参照し、上壁部６を破断して開封する方法について説明する。使用者は、上壁部６の左端側中央に設けられた切欠部１８に指を挿入し、ジッパー１９の左端部を摘みながら右方に引っ張る。すると、ジッパー１９がミシン目に沿って引き剥がされるので、上壁部６はジッパー１９に沿って破断される。上壁部６は開閉可能となる。使用者は、上壁部６を開き、外箱２内に収納されたガスコンロ１００を右端パッド６１及び左端パッド６２が取り付いた状態で、上方に取り出すことができる。本方法で、上壁部６を開封してガスコンロ１００を取り出した場合、その後においても、外箱２の形状を直方体状に保持できる。従って、ガスコンロ１００を再度外箱２内に収納し、運搬及び保管等に用いることができる。
【００４０】
図７〜図９を参照し、外箱２を上下に分断して開封する方法について説明する。上記の通り、梱包体１は「ラップアラウンド方式」でガスコンロ１００を梱包している。それ故、外箱２は右端パッド６１及び左端パッド６２を介してガスコンロ１００の周囲に巻き付いた状態である。従って、外箱２からガスコンロ１００のみを容易且つ速やかに取り出したい場合は、本方法で開封するとよい。
【００４１】
作業者は、図７に示すように、先ず、前壁部３の中央に設けられた切れ目１３に指を挿入し、ジッパー１１の左端部を摘みながら右方に引っ張る。すると、ジッパー１１がミシン目に沿って引き剥がされるので、前壁部３及び右壁部４において、切れ目１３から右壁部４の溝部３５の奥までが破断される。さらに、切れ目１３に指を再度挿入し、ジッパー１２の右端部を摘みながら左方に引っ張る。すると、ジッパー１２がミシン目に沿って引き剥がされるので、前壁部３及び左壁部５において、切れ目１３から左壁部５の溝部３７の奥までが破断される。
【００４２】
背壁部８においても、前壁部３と同様に、ジッパー１４及びジッパー１５を引き剥がす。すると、背壁部８及び右壁部４において、切れ目１６から右壁部４の溝部３６の奥までが破断され、背壁部８及び左壁部５において、切れ目１６から左壁部５の溝部３８の奥までが破断される。
【００４３】
これにより、外箱２は、上ケース２１と下ケース２２に分断される。作業者は、図８に示すように、上ケース２１を上方に引き抜くようにして取り外す。すると、下ケース２２の上部の開口部では、右端パッド６１及び左端パッド６２を左右両側部に取り付けたガスコンロ１００の上半分が露出する。この状態では、右端パッド６１及び左端パッド６２の各外面は、下ケース２２の内面に夫々密着している。
【００４４】
次いで、作業者は、ガスコンロ１００の左右両側部を覆う左端パッド６２及び右端パッド６１を分離部６８，７８に沿って折損する。分離部６８，７８は、下ケース２２の開口端よりも上方に位置している。さらに、左端パッド６２及び右端パッド６１は何れも発泡スチロール製であり、その下部はガスコンロ１００の重量で押さえられている。よって、作業者は、左端パッド６２及び右端パッド６１を分離部６８，７８に沿って容易に折損できる。
【００４５】
左端パッド６２は分離部６８で折損されることにより、上側部６２Ａと下側部６２Ｂとに分離する。右端パッド６１は分離部７８で折損されることにより、上側部６１Ａと下側部６１Ｂとに分離する。作業者は、左端パッド６２の上側部６２Ａと、右端パッド６１の上側部６１Ａとを下ケース２２から取り除く。これにより、図９に示すように、下ケース２２において、ガスコンロ１００の下部を除く全体が露出するので、作業者は下ケース２２からガスコンロ１００のみを容易且つ速やかに取り出すことができる。
【００４６】
ところで、上ケース２１と下ケース２２を用いて、再度、ガスコンロ１００を収納して保管したい場合、以下の方法を行えばよい。先ず、使用者は、下ケース２２の内側の左右両側に、右端パッド６１の下側部６１Ｂと、左端パッド６２の下側部６２Ｂを夫々配置する。そして、それら下側部６１Ｂと下側部６２Ｂに対して、ガスコンロ１００の底面１０５を配置することによって、図９に示す状態となる。次いで、下ケース２２に下部が収納されたガスコンロ１００の右側部１０２及び左側部１０３の露出部分に対して、図８に示すように、右端パッド６１の上側部６１Ａと左端パッド６２の上側部６２Ａを夫々取り付ける。
【００４７】
最後に、図８に示すように、下ケース２２に収納されたガスコンロ１００に対し、上ケース２１を上方から被せる。このとき、下ケース２２の開口端の四隅では、右端パッド６１の下側部６１Ｂの上部と、左端パッド６２の下側部６２Ｂの上部とが、開口端よりも上方に突出している。それ故、作業者は、上ケース２１の下部の開口端側の内面を、下ケース２２の開口端から突出する下側部６１Ｂ及び下側部６２Ｂに沿わせることによって、下ケース２２に対して上ケース２１を容易に位置決めできる。そして、上ケース２１を、下ケース２２に対して、右端パッド６１の下側部６１Ｂと、左端パッド６２の下側部６２Ｂとによって支持することができる。このように、外箱２を分断した上ケース２１と下ケース２２を用いて、ガスコンロ１００を収納して保管できる。
【００４８】
また、左端パッド６２と右端パッド６１は、分離部６８，７８で上下に分離されるので、分離した上側部６２Ａと下側部６２Ｂ、及び上側部６１Ａと下側部６１Ｂは夫々決まった形状となる。従って、左端パッド６２と右端パッド６１を分離部６８，７８で上下に分離して外箱２からガスコンロ１００を取り出した後でも、下側部６２Ｂの上に上側部６２Ａ、下側部６１Ｂの上に上側部６１Ａを載置すれば、左端パッド６２と右端パッド６１を元通りに組み立てることができる。従って、使用者は、元通りに組み立てた左端パッド６２と右端パッド６１をガスコンロ１００に再度装着して外箱２に収納することができる。
【００４９】
以上説明したように、本実施形態の梱包体１は、外箱２と、右端パッド６１及び左端パッド６２とで構成する。外箱２は段ボール製であり、ジッパー１１，１２，１４，１５により、上下に分離可能である。右端パッド６１及び左端パッド６２は、ガスコンロ１００に対する外部衝撃を吸収する発泡スチロール製の緩衝体である。右端パッド６１及び左端パッド６２は、ガスコンロ１００の左右両側部に外嵌された状態で外箱２に収納される。右端パッド６１及び左端パッド６２は、外箱２に設けられたジッパー１１，１２，１４，１５の位置よりも上方において上下に分離可能な分離部６８，７８を備えている。分離部６８，７８は、右端パッド６１及び左端パッド６２を上下に折損可能な程度の溝である。外箱２の開封時において、使用者はジッパー１１，１２，１４，１５により、外箱２を上下に分離する。上ケース２１を除けることによって、外箱２の内部に収納されていたガスコンロ１００の上半分が露出する。このときガスコンロ１００の両側部には、右端パッド６１及び左端パッド６２が外嵌している。使用者は右端パッド６１及び左端パッド６２を分離部６８，７８により上下に分離して上側部６１Ａ，６２Ａを除けることができる。これにより、使用者は、外箱２と右端パッド６１及び左端パッド６２からガスコンロ１００を容易且つ速やかに取り出すことができる。
【００５０】
なお、本発明は上記実施形態に限定されるものではなく、種々の変更が可能である。例えば、上記実施形態では、外箱２は段ボール製であるが、紙系材料であればよい。また、外箱２を上下に切断する切断部はジッパーで形成しているが、単なるミシン目でもよく、切断する方式について限定するものではない。
【００５１】
また、上記実施形態では、右端パッド６１及び左端パッド６２を発泡スチロールで形成しているが、樹脂でもよく、分離部において折損可能な材質であればよい。なお、少なくともガスコンロ１００に対する外部衝撃を吸収可能な材質である必要はある。
【００５２】
また、上記実施形態では、右端パッド６１及び左端パッド６２を、ガスコンロ１００の中央を除く左右両側部に外嵌して取り付けているが、ガスコンロ１００の中央までを覆う左右一対の緩衝体であってもよい。
【００５３】
また、上記実施形態では、加熱調理器の一例として、ガスコンロ１００を梱包する梱包体１について説明したが、ビルトインコンロ、フライヤー、電磁調理器等を梱包する梱包体にも適用可能である。
【００５４】
また、上記実施形態では、ガスコンロ１００の右側部１０２と、左側部１０３とに対して、右端パッド６１と左端パッド６２を取り付けているが、互いに対向する位置関係にある一対の側部であれば、例えば、前壁部３と背壁部８に対して、緩衝体を取り付けるようにしてもよい。
【符号の説明】
【００５５】
１  梱包体
２  外箱
１１，１２，１４，１５  ジッパー
２１  上ケース
２２  下ケース
６１  右端パッド
６１Ａ  上側部
６１Ｂ  下側部
６２  左端パッド
６２Ａ  上側部
６２Ｂ  下側部
６４，７４  穴部
６８，７８  分離部
１００  ガスコンロ
１０２  右側部
１０３  左側部
【図１】
2014181052.tif 000003
【図２】
2014181052.tif 000004
【図３】
2014181052.tif 000005
【図４】
2014181052.tif 000006
【図５】
2014181052.tif 000007
【図６】
2014181052.tif 000008
【図７】
2014181052.tif 000009
【図８】
2014181052.tif 000010
【図９】
2014181052.tif 000011